(57)【特許請求の範囲】
【請求項１】
スクリーンマスク上のクリーム半田を印刷時にスキージヘッドのクリーム加圧傾斜面で加圧し且つその圧力を少なくとも該クリーム加圧傾斜面とスキージと前記スクリーンマスクとを含む閉じた曲面で該スクリーンマスクの面に伝えてマスク孔に充填すると共に前記スクリーンマスク上の前記クリーム半田を前記スキージで掻き取るスキージユニットにおいて、
前記クリーム加圧傾斜面と前記スキージとはそれぞれ向きを逆にして対向配置されると共にこれらの両側部と上部が前記クリーム半田を包囲して外気から遮蔽するように閉じられて全体としてクリーム半田包囲体が形成され、該クリーム半田包囲体の中はクリーム半田室となっていることを特徴とするスキージユニット。
【請求項２】
前記各スキージのクリーム掻き取り面が、印刷方向の前記スクリーンマスクの面に対して90°以上の角度をなしていることを特徴とする請求項１に記載のスキージユニット。
【請求項３】
少なくとも前記スクリーンマスクに接する前記スキージの先端部近傍の部分が弾性を有していることを特徴とする請求項１または２に記載のスキージユニット。
【請求項４】
前記各クリーム加圧傾斜面を形成している部材には、前記クリーム加圧傾斜面に隣接して下部に前記スクリーンマスクの面にほぼ平行な面を有していることを特徴とする請求項１，２，３のいずれか１つに記載のスキージユニット。
【請求項５】
前記クリーム半田室に前記クリーム半田を供給するクリーム半田供給手段が接続されていることを特徴とする請求項１，２，３，４のいずれか１つに記載のスキージユニット。
【請求項６】
前記クリーム半田供給手段はその少なくとも主要部が前記スキージヘッド内に組み込まれていることを特徴とする請求項５に記載のスキージユニット。
【請求項７】
前記閉じた曲面内で加圧されている前記クリーム半田の圧力を検出する圧力センサーが設けられ、該圧力センサーからの指令で前記クリーム半田供給手段が前記クリーム半田室に前記クリーム半田の供給を行う構成になっている請求項５または６に記載のスキージユニット。
【請求項８】
スクリーンマスク上のクリーム半田を印刷時にスキージヘッドのクリーム加圧傾斜面で加圧し且つその圧力を少なくとも該クリーム加圧傾斜面とスキージと前記スクリーンマスクとを含む閉じた曲面で該スクリーンマスクの面に伝えてマスク孔に充填すると共に前記スクリーンマスク上の前記クリーム半田を前記スキージで掻き取るスキージユニットにおいて、
前記クリーム加圧傾斜面と前記スキージとはそれぞれ向きを逆にして対向配置されると共にこれらの両側部と上部が前記クリーム半田を包囲して外気から遮蔽するように閉じられて全体としてクリーム半田包囲体が形成され、該クリーム半田包囲体の中はクリーム半田室となっており、
前記各クリーム加圧傾斜面を形成している部材の外にはこの部材に対して隙間をあけないようにして垂直に上下動可能にスライド部材が設けられ、該スライド部材に前記スキージがそのクリーム掻き取り面が印刷方向の前記スクリーンマスクの面に対して90°以上の角度をなすようにして支持されていることを特徴とするスキージユニット。
【請求項９】
印刷方向のスクリーンマスクの面に対して鋭角にスキージヘッドに設けられたクリーム加圧傾斜面を、スキージと共に移動させて、前記スクリーンマスク上のクリーム半田を前記クリーム加圧傾斜面で加圧し且つその圧力を少なくとも該クリーム加圧傾斜面とスキージと前記スクリーンマスクとを含む閉じた曲面で該スクリーンマスクの面に伝えてマスク孔に充填すると共に前記スキージで前記スクリーンマスク上の前記クリーム半田を掻き取って前記クリーム半田を基板に印刷するクリーム半田印刷機において、
前記クリーム加圧傾斜面と前記スキージとはそれぞれ向きを逆にして対向配置されると共にこれらの両側部と上部が前記クリーム半田を包囲して外気から遮蔽するように閉じられて全体としてクリーム半田包囲体が形成され、該クリーム半田包囲体の中はクリーム半田室となっていることを特徴とするクリーム半田印刷機。
【請求項１０】
前記各スキージのクリーム掻き取り面が、印刷方向の前記スクリーンマスクの面に対して90°以上の角度をなしていることを特徴とする請求項９に記載のクリーム半田印刷機。
【請求項１１】
少なくとも前記スクリーンマスクに接する前記スキージの先端部近傍の部分が弾性を有していることを特徴とする請求項９または１０に記載のクリーム半田印刷機。
【請求項１２】
前記各クリーム加圧傾斜面を形成している部材には、前記クリーム加圧傾斜面に隣接して下部に前記スクリーンマスクの面にほぼ平行な面を有していることを特徴とする請求項９，１０，１１のいずれか１つに記載のクリーム半田印刷機。
【請求項１３】
前記クリーム半田室に前記クリーム半田を供給するクリーム半田供給手段が接続されていることを特徴とする請求項９，１０，１１，１２のいずれか１つに記載のクリーム半田印刷機。
【請求項１４】
前記クリーム半田供給手段はその少なくとも主要部が前記スキージヘッド内に組み込まれていることを特徴とする請求項１３に記載のクリーム半田印刷機。
【請求項１５】
前記閉じた曲面内で加圧されている前記クリーム半田の圧力を検出する圧力センサーが設けられ、該圧力センサーからの指令で前記クリーム半田供給手段が前記クリーム半田室に前記クリーム半田の供給を行う構成になっている請求項１３または１４に記載のクリーム半田印刷機。
【請求項１６】
印刷方向のスクリーンマスクの面に対して鋭角にスキージヘッドに設けられたクリーム加圧傾斜面を、スキージと共に移動させて、前記スクリーンマスク上のクリーム半田を前記クリーム加圧傾斜面で加圧し且つその圧力を少なくとも該クリーム加圧傾斜面とスキージと前記スクリーンマスクとを含む閉じた曲面で該スクリーンマスクの面に伝えてマスク孔に充填すると共に前記スキージで前記スクリーンマスク上の前記クリーム半田を掻き取って前記クリーム半田を基板に印刷するクリーム半田印刷機において、
前記クリーム加圧傾斜面と前記スキージとはそれぞれ向きを逆にして対向配置されると共にこれらの両側部と上部が前記クリーム半田を包囲して外気から遮蔽するように閉じられて全体としてクリーム半田包囲体が形成され、該クリーム半田包囲体の中はクリーム半田室となっており、
前記各クリーム加圧傾斜面を形成している部材の外にはこの部材に対して隙間をあけないようにして垂直に上下動可能にスライド部材が設けられ、該スライド部材に前記スキージがそのクリーム掻き取り面が印刷方向の前記スクリーンマスクの面に対して90°以上の角度をなすようにして支持されていることを特徴とするクリーム半田印刷機。
【発明の詳細な説明】
【０００１】
【発明の属する技術分野】
本発明は、電子部品を半田付けするためのクリーム半田を基板に印刷するスキージユニット及びこれを用いたクリーム半田印刷機に関するものである。
【０００２】
【従来の技術】
従来のこの種のスキージユニット及びクリーム半田印刷機では、スクリーンマスク上のクリーム半田を印刷時にクリーム加圧傾斜面で加圧し且つその圧力をスクリーンマスクの面に伝えてマスク孔に充填すると共にスクリーンマスク上のクリーム半田をスキージで掻き取る構造であった。
【０００３】
このようなスキージユニット及びクリーム半田印刷機では、印刷速度に見合った適正なクリーム半田の押し込み力を必要とし、このため印刷速度やクリーム半田の粘度等に応じて、その都度押し込み力を設定する必要があった。
【０００４】
【発明が解決しようとする課題】
従来のスキージユニット及びクリーム半田印刷機では、クリーム加圧傾斜面で加圧されるクリーム半田の印刷方向の面が大気中に晒されているため、クリーム半田が空気に触れて酸化し、乾燥等して、性状変化を起こし、適正なクリーム半田の押し込み力を維持しにくい問題点があった。
【０００５】
また、従来のスキージユニット及びクリーム半田印刷機では、スキージユニットの印刷速度を変える度に、その状態に見合った印圧を決定するテスト印刷が必要となる問題点があった。
【０００６】
また、従来のスキージユニット及びクリーム半田印刷機では、クリーム半田のローリングによりスキージが持ち上げなれて、スクリーンマスク上のクリーム半田の掻き取り不良を起こし易い問題点があった。
【０００７】
また、従来のスキージユニット及びクリーム半田印刷機では、スクリーンマスクの表面がうねっていた場合、スクリーンマスク上のクリーム半田の掻き取り不良を起こし易い問題点があった。
【０００８】
また、従来のスキージユニット及びクリーム半田印刷機では、スクリーンマスク上へのクリーム半田の供給を手動で行っていたので、作業能率が悪い問題点があった。
【０００９】
本発明の目的は、印刷時にクリーム半田が空気に触れ難くすることができるスキージユニット及びクリーム半田印刷機を提供することにある。
【００１０】
本発明の他の目的は、クリーム半田のローリングによりスキージが持ち上げられるのを防止できるスキージユニット及びクリーム半田印刷機を提供することにある。
【００１１】
本発明の他の目的は、基板やスクリーンマスクのうねりにスキージが追従可能なスキージユニット及びクリーム半田印刷機を提供することにある。
【００１２】
本発明の他の目的は、クリーム加圧傾斜面により加圧されたクリーム半田の圧力の高いエリアを広く設定でき、高速印刷時においてもマスク孔へのクリーム半田の充填性を高めることができるスキージユニット及びクリーム半田印刷機を提供することにある。
【００１３】
本発明の他の目的は、スクリーンマスク上へのクリーム半田の供給を容易に行えるスキージユニット及びクリーム半田印刷機を提供することにある。
【００１４】
本発明の他の目的は、スキージヘッド内にクリーム半田供給手段を組み込むことができるスキージユニット及びクリーム半田印刷機を提供することにある。
【００１５】
本発明の他の目的は、印刷時にクリーム半田の量の減少を検出して自動的にクリーム半田の供給を行えるスキージユニット及びクリーム半田印刷機を提供することにある。
【００１６】
本発明の他の目的は、スキージによるクリーム半田の掻き取り性に影響を与えないで、クリーム半田の圧力調整や圧力設定を行えるスキージユニット及びクリーム半田印刷機を提供することにある。
【００１７】
【課題を解決するための手段】
本発明は、スクリーンマスク上のクリーム半田を印刷時にスキージヘッドのクリーム加圧傾斜面で加圧し且つその圧力を少なくとも該クリーム加圧傾斜面とスキージとスクリーンマスクとを含む閉じた曲面で該スクリーンマスクの面に伝えてマスク孔に充填すると共にスクリーンマスク上のクリーム半田をスキージで掻き取るスキージユニットを改良するものである。
【００１８】
本発明に係るスキージユニットにおいては、クリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成され、該クリーム半田包囲体の中はクリーム半田室となっていることを特徴とする。
【００１９】
このようにクリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成されていると、印刷時にクリーム半田が空気に触れ難くなり、クリーム半田の酸化やフラックス蒸発による性状変化を抑制でき、適正なクリーム半田の押し込み力の維持がし易くなる。また、クリーム加圧傾斜面とスキージとがそれぞれ向きを逆にして対向配置されていると、クリーム半田をクリーム半田包囲体の外に溢れさせることなく逆方向走行を開始させることができる。さらに、クリーム加圧傾斜面で加圧したクリーム半田を少なくとも該クリーム加圧傾斜面とスキージとスクリーンマスクとを含む閉じた曲面で該スクリーンマスクの面に伝えるので、クリーム半田の圧力を逃がさずにマスク孔に伝えてクリーム半田の充填性を高めることができる。
【００２０】
また、本発明に係るスキージユニットにおいて、各スキージのクリーム掻き取り面が、印刷方向のスクリーンマスクの面に対して90°以上の角度をなしていると、スキージのクリーム掻き取り面にクリーム半田による押し上げ力がかからなくなり、クリーム半田のローリングによってスキージが持ち上げられるのを防止できる。
【００２１】
また、本発明に係るスキージユニットにおいて、少なくともスクリーンマスクに接するスキージの先端部近傍の部分が弾性を有していると、基板やスクリーンマスクにうねりがあっても、スキージがそれに追従してクリーム半田の掻き取りを良好に行わせることができる。
【００２２】
また、本発明に係るスキージユニットにおいて、各クリーム加圧傾斜面を形成している部材には、クリーム加圧傾斜面に隣接して下部にスクリーンマスクの面にほぼ平行な面を有していると、クリーム加圧傾斜面により加圧されたクリーム半田の圧力の高いエリアを広く設定でき、高速印刷時においてもマスク孔へのクリーム半田の充填性を高めることができる。
【００２３】
また、本発明に係るスキージユニットにおいて、クリーム半田室にクリーム半田を供給するクリーム半田供給手段が設けられていると、スクリーンマスク上へのクリーム半田の供給を容易に行うことができる。
【００２４】
また、本発明に係るスキージユニットにおいて、クリーム半田供給手段の少なくとも主要部がスキージヘッド内に組み込まれていると、外観をシンプル化することができる。
【００２５】
また、本発明に係るスキージユニットにおいて、閉じた曲面内で加圧されているクリーム半田の圧力を検出する圧力センサーが設けられ、該圧力センサーからの指令でクリーム半田供給手段がクリーム半田室にクリーム半田の供給を行う構成になっていると、印刷時に圧力センサーによりクリーム半田の量の減少を検出して自動的にクリーム半田供給手段によりクリーム半田の供給を行うことができる。
【００２６】
さらに、本発明に係るスキージユニットにおいて、クリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成され、該クリーム半田包囲体の中はクリーム半田室となっており、各クリーム加圧傾斜面を形成している部材の外にはこの部材に対して隙間をあけないようにして垂直に上下動可能にスライド部材が設けられ、該スライド部材にスキージがそのクリーム掻き取り面が印刷方向のスクリーンマスクの面に対して90°以上の角度をなすようにして支持されていると、スキージをスクリーンマスク上の掻き取り位置に保持してクリーム半田の掻き取り性に影響を与えない状態にして、クリーム加圧傾斜面を上下させてクリーム半田の圧力設定や圧力調整ができる。
【００２７】
次に本発明は、印刷方向のスクリーンマスクの面に対して鋭角にスキージヘッドに設けられたクリーム加圧傾斜面を、スキージと共に移動させて、スクリーンマスク上のクリーム半田をクリーム加圧傾斜面で加圧し且つその圧力を少なくとも該クリーム加圧傾斜面とスキージとスクリーンマスクとを含む閉じた曲面で該スクリーンマスクの面に伝えてマスク孔に充填すると共にスキージでスクリーンマスク上のクリーム半田を掻き取ってクリーム半田を基板に印刷するクリーム半田印刷機を改良するものである。
【００２８】
本発明に係るクリーム半田印刷機においては、クリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成され、該クリーム半田包囲体の中はクリーム半田室となっていることを特徴とする。
【００２９】
このようにクリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成されていると、印刷時にクリーム半田が空気に触れ難くなり、クリーム半田の酸化やフラックス蒸発による性状変化を抑制でき、適正なクリーム半田の押し込み力の維持がし易くなる。また、クリーム加圧傾斜面とスキージとがそれぞれ向きを逆にして対向配置されていると、クリーム半田をクリーム半田包囲体の外に溢れさせることなく逆方向走行を開始させることができる。さらに、クリーム加圧傾斜面で加圧したクリーム半田を少なくとも該クリーム加圧傾斜面とスキージとスクリーンマスクとを含む閉じた曲面で該スクリーンマスクの面に伝えるので、クリーム半田の圧力を逃がさずにマスク孔に伝えてクリーム半田の充填性を高めることができる。
【００３０】
また本発明に係るクリーム半田印刷機において、各スキージのクリーム掻き取り面が、印刷方向の前記スクリーンマスクの面に対して90°以上の角度をなしていると、スキージのクリーム掻き取り面にクリーム半田による押し上げ力がかからなくなり、クリーム半田のローリングによってスキージが持ち上げられるのを防止できる。
【００３１】
また、本発明に係るクリーム半田印刷機において、少なくともスクリーンマスクに接するスキージの先端部近傍の部分が弾性を有していると、基板やスクリーンマスクにうねりがあっても、スキージがそれに追従してクリーム半田の掻き取りを良好に行わせることができる。
【００３２】
また、本発明に係るクリーム半田印刷機において、各クリーム加圧傾斜面を形成している部材には、クリーム加圧傾斜面に隣接して下部にスクリーンマスクの面にほぼ平行な面を有していると、クリーム加圧傾斜面により加圧されたクリーム半田の圧力の高いエリアを広く設定でき、高速印刷時においてもマスク孔へのクリーム半田の充填性を高めることができる。
【００３３】
また、本発明に係るクリーム半田印刷機において、クリーム半田室にクリーム半田を供給するクリーム半田供給手段が設けられていると、スクリーンマスク上へのクリーム半田の供給を容易に行うことができる。
【００３４】
また、本発明に係るクリーム半田印刷機において、クリーム半田供給手段の少なくとも主要部がスキージヘッド内に組み込まれていると、外観をシンプル化することができる。
【００３５】
また、本発明に係るクリーム半田印刷機において、閉じた曲面内で加圧されているクリーム半田の圧力を検出する圧力センサーが設けられ、該圧力センサーからの指令でクリーム半田供給手段がクリーム半田室にクリーム半田の供給を行う構成になっていると、印刷時に圧力センサーによりクリーム半田の量の減少を検出して自動的にクリーム半田供給手段によりクリーム半田の供給を行うことができる。
【００３６】
さらに、本発明に係るクリーム半田印刷機において、クリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成され、該クリーム半田包囲体の中はクリーム半田室となっており、各クリーム加圧傾斜面を形成している部材の外にはこの部材に対して隙間をあけないようにして垂直に上下動可能にスライド部材が設けられ、該スライド部材にスキージがそのクリーム掻き取り面が印刷方向のスクリーンマスクの面に対して90°以上の角度をなすようにして支持されていると、スキージをスクリーンマスク上の掻き取り位置に保持してクリーム半田の掻き取り性に影響を与えない状態にして、クリーム加圧傾斜面を上下させてクリーム半田の圧力設定や圧力調整ができる。
【００３７】
【発明の実施の形態】
図１及び図２は、本発明に係るスキージユニット及びこれを用いたクリーム半田印刷機の実施の形態の第１例を示したもので、図１は本例のスキージユニット及びクリーム半田印刷機の要部構成を示す一部縦断側面図、図２は本例のスキージユニットの要部構成を示す縦断側面図である。
【００３８】
このスキージユニット及びクリーム半田印刷機では、昇降する印刷テーブル１の上に基板２が配置され、この基板２の上方にスクリーンマスク３が固定手段で固設されている。スクリーンマスク３には、マスク孔３ａが設けられている。このスクリーンマスク３より上方に位置する支持部材４に垂直にエアシリンダ５が支持され、この支持部材４を摺動自在に垂直に貫通するエアシリンダ５のピストンロッド５ａの下端には、スキージヘッド６，６´が向かい合わせにつなぎ部材２２でつないで支持された構造になっている。スキージヘッド６，６´は、ピストンロッド５ａの下端に取付けたスキージホルダー７，７´と、これらのスキージホルダー７，７´に支持されてクリーム半田８を掻き取るスキージ９，９´とで構成されている。スキージホルダー７，７´は、印刷方向のスクリーンマスク３の面に対して鋭角のクリーム加圧傾斜面７ａ，７ａ´を有している。このスキージホルダー７，７´には、そのクリーム加圧傾斜面７ａ，７ａ´に隣接して下部にスクリーンマスク３の面にほぼ平行な面７ｂ，７ｂ´が設けられている。スキージ９，９´は、その進行方向の前面にある掻き取り面９ａ，９ａ´が、印刷方向のスクリーンマスク３の面に対して90°以上の角度をなすようにしてスキージホルダー７，７´に支持されている。スキージ９，９´は、少なくともスキージ９，９´の先端部近傍の部分が弾性を有しているように、本例ではウレタンゴムで形成されている。
【００３９】
このように逆向きで配置されたクリーム加圧傾斜面７ａ，７ａ´とスクリーンマスク３の面にほぼ平行な面７ｂ，７ｂ´とスキージ９，９´とは、これらの幅方向の両側部と上部がクリーム半田８を包囲して外気から遮蔽するように閉じられて全体としてクリーム半田包囲体１０が形成されている。該クリーム半田包囲体１０の中は、下部が開口されたクリーム半田室１１となっている。
【００４０】
クリーム半田室１１には、支持部材４に縦向きに支持されたシリンダ１２内のクリーム半田８が、該シリンダ１２内上部のピストン１３を加圧気体１４で加圧することにより、下端のノズル１５からスキージヘッド６´を貫通する通路１６を経て供給されるようになっている。これらシリンダ１２，ピストン１３，ノズル１５等によりクリーム半田供給手段１７が構成されている。
【００４１】
スキージヘッド６，６´のスキージホルダー７，７´内には、図２に示すように、スクリーンマスク３の面にほぼ平行な面７ｂ，７ｂ´に先端を露出させて圧力センサ１８，１８´が組み込まれている。この圧力センサ１８，１８´がスクリーンマスク３上のクリーム半田８の不足を検出すると、これら圧力センサ１８，１８´からの指令でシリンダ１２内上部のピストン１３の上に加圧気体１４を供給するようになっている。
【００４２】
クリーム半田印刷機では、図１でスクリーンマスク３の上に記載のものが、図示しない駆動機構で駆動されてＸ方向（右方向）とＸ´方向（左方向）に駆動されるようになっている。
【００４３】
このようなスキージユニット及びこれを用いたクリーム半田印刷機では、エアシリンダ５の操作によりスキージ９，９´の下端（先端）がスクリーンマスク３の表面に接する状態にし、クリーム加圧傾斜面７ａとスキージ９とスクリーンマスク３がなす閉じた曲面にクリーム半田８を置いて、スキージヘッド６，６´をＸ方向に走行させると、クリーム加圧傾斜面７ａでクリーム半田８が加圧され、その圧力でクリーム半田８がスクリーンマスク３の面に押しつけられ、その圧力でクリーム半田８がマスク孔３ａに充填され、充填が終了した部分のクリーム半田８はスキージ９で掻き取られる。スキージヘッド６の走行につれて、スクリーンマスク３上のクリーム半田８は矢印で示すようにローリングする。
【００４４】
スキージヘッド６のＸ方向（右方向）が終わると、スキージヘッド６，６´をスクリーンマスク３上で紙面に直交する方向に１ピッチ分移動させ、次にクリーム加圧傾斜面７ａ´とスキージ９´とスクリーンマスク３がなす閉じた曲面にクリーム半田８を置いて、スキージヘッド６，６´をＸ´方向（左方向）に走行させて、同様にクリーム半田８の印刷を行う。
【００４５】
この過程で圧力センサ１８，１８´がクリーム半田８の不足を検出したならば、圧力センサ１８，１８´からの指令でシリンダ１２内に加圧気体１４を送ってピストン１３を押し下げることによりクリーム半田８を該シリンダ１２の下端のノズル１５からスキージヘッド６´の通路１６を経てクリーム半田室１１にクリーム半田８を供給する。
【００４６】
このようにクリーム加圧傾斜面７ａ，７ａ´とスキージ９，９´とをそれぞれ向きを逆にして対向配置すると共にこれらの両側部と上部がクリーム半田８を包囲して外気から遮蔽するように閉じられて全体としてクリーム半田包囲体１０が形成されているので、印刷時にクリーム半田８が空気に触れ難くなり、クリーム半田８の酸化やフラックス蒸発による性状変化を抑制でき、適正なクリーム半田８の押し込み力の維持がし易くなる。また、クリーム加圧傾斜面７ａ，７ａ´とスキージ９，９´とがそれぞれ向きを逆にして対向配置されているので、クリーム半田８をクリーム半田包囲体１０の外に溢れさせることなく逆方向走行を開始させることができる。さらに、クリーム加圧傾斜面７ａ，７ａ´で加圧したクリーム半田８を少なくとも該クリーム加圧傾斜面７ａ，７ａ´とスキージ９，９´とスクリーンマスク３とを含む閉じた曲面で該スクリーンマスク３の面に伝えるので、クリーム半田８の圧力を逃がさずにマスク孔３ａに伝えてクリーム半田８の充填性を高めることができる。
【００４７】
また、各スキージ９，９´のクリーム掻き取り面９ａ，９ａ´が、印刷方向のスクリーンマスク３の面に対して90°以上の角度をなしているので、スキージ９，９´のクリーム掻き取り面９ａ，９ａ´にクリーム半田８による押し上げ力がかからなくなり、クリーム半田８のローリングによってスキージ９，９´が持ち上げられるのを防止できる。
【００４８】
また、少なくともスクリーンマスク３に接するスキージ９，９´の先端部近傍の部分が弾性を有しているので、基板２やスクリーンマスク３にうねりがあっても、スキージ９，９´がそれに追従してクリーム半田８の掻き取りを良好に行わせることができる。
【００４９】
また、各クリーム加圧傾斜面７ａ，７ａ´を形成している部材には、これらクリーム加圧傾斜面７ａ，７ａ´に隣接して下部にスクリーンマスク３の面にほぼ平行な面７ｂ，７ｂ´を有しているので、クリーム加圧傾斜面７ａ，７ａ´により加圧されたクリーム半田８の圧力の高いエリアを広く設定でき、高速印刷時においてもマスク孔３ａへのクリーム半田８の充填性を高めることができる。
【００５０】
また、クリーム半田室１１にクリーム半田８を供給するクリーム半田供給手段１７が設けられているので、スクリーンマスク３上へのクリーム半田８の供給を容易に行うことができる。
【００５１】
また、クリーム加圧傾斜面７ａ，７ａ´とスクリーンマスク３の面にほぼ平行な面７ｂ，７ｂ´とスキージ９，９´とスクリーンマスク３とを含む閉じた曲面内で加圧されているクリーム半田８の圧力を検出する圧力センサー１８，１８´が設けられ、該圧力センサー１８，１８´からの指令でクリーム半田供給手段１７がクリーム半田室１１にクリーム半田８の供給を行う構成になっているので、印刷時に圧力センサー１８，１８´によりクリーム半田８の量の減少を検出すると自動的にクリーム半田供給手段１７によりクリーム半田８の供給を行うことができる。
【００５２】
図３は、本発明に係るスキージユニット及びこれを用いたクリーム半田印刷機の実施の形態の第２例を示した一部縦断側面図である。なお、図１に示す第１例と対応する部分には、同一符号を付けて示している。
【００５３】
本例のスキージユニット及びクリーム半田印刷機では、つなぎ部材２２でつながれているスキージヘッド６，６´は、クリーム加圧傾斜面１９ａ，１９ａ´を有する部材１９，１９´と、スクリーンマスク３の面と接触してクリーム半田８を掻き取るスキージ９，９´を有するスライド部材（スキージホルダー）２０，２０´とを有している。これらクリーム加圧傾斜面１９ａ，１９ａ´を有する部材１９，１９´と、スキージ９，９´を有するスライド部材２０，２０´とは、これら部材の間に隙間をあけないように部材１９，１９´に支持させた弾性を有するシール材２１，２１´の先端をスライド部材２０，２０´の側面に圧接させて状態でスクリーンマスク３の面に対して独立して接離方向に移動可能になっている。スキージ９，９´を有するスライド部材２０，２０´は、スクリーンマスク３の面に対して接離方向に移動可能なようにクリーム加圧傾斜面１９ａ，１９ａ´を有する部材１９，１９´に支持された図示しないガイド部材でガイドされている。スキージ９，９´は、その進行方向の前面にある掻き取り面９ａ，９ａ´が、印刷方向のスクリーンマスク３の面に対して90°以上の角度をなすようにしてスライド部材（スキージホルダー）２０，２０´に支持されている。スキージ９，９´は、本例でもウレタンゴムで形成されている。
【００５４】
逆向きで配置されたクリーム加圧傾斜面１９ａ，１９ａ´とスクリーンマスク３の面にほぼ平行な面１９ｂ，１９ｂ´とスキージ９，９´とは、これらの幅方向の両側部と上部がクリーム半田８を包囲して外気から遮蔽するように閉じられて全体としてクリーム半田包囲体１０が形成されている。該クリーム半田包囲体１０の中は、下部が開口されたクリーム半田室１１となっている。
【００５５】
クリーム半田室１１には、図１と同じ構成のクリーム半田供給手段１７のノズル１５より部材１９´の通路１６を経てクリーム半田室１１にクリーム半田８が供給されるようになっている。
【００５６】
エアシリンダ５のピストンロッド５ａは途中で切断されて、その切断部間にロードセルよりなる圧力センサ１８が組み込まれ、クリーム加圧傾斜面１９ａ，１９ａ´を有する部材１９，１９´に作用するクリーム半田８のローリングによる圧力を検出できるようになっている。この圧力センサ１８がクリーム半田８の量が少なくなってその圧力が減少することにより、スクリーンマスク３上のクリーム半田８の不足を検出すると、この圧力センサ１８からの指令でシリンダ１２内上部のピストン１３の上に加圧気体１４を供給するようになっている。
【００５７】
クリーム加圧傾斜面１９ａ，１９ａ´を有する部材１９，１９´は、印刷時に反力で上昇しないようにエアシリンダー５で支持体４に支持されている。
【００５８】
これらスキージ９，９´を有するスライド部材２０，２０´は、スクリーンマスク３の面に接触する方向に、図示しないがコイルバネ等の付勢手段でそれぞれ付勢されている。付勢手段は、部材１９，１９´で受けられている。
【００５９】
このように各クリーム加圧傾斜面１９ａ，１９ａ´を形成している部材１９，１９´の外に、これらの部材１９，１９´に対して隙間をあけないようにして垂直に上下動可能にスライド部材２０，２０´が設けられ、該スライド部材２０，２０´にスキージ９，９´がそのクリーム掻き取り面９ａ，９ａ´が印刷方向のスクリーンマスク３の面に対して90°以上の角度をなすようにして支持されていると、スキージ９，９´をスクリーンマスク３上の掻き取り位置に保持してクリーム半田８の掻き取り性に影響を与えない状態にして、クリーム加圧傾斜面１９ａ，１９ａ´を上下させてクリーム半田８の圧力設定や圧力調整ができる。その他の効果は、第１例と同様である。
【００６０】
図４及び図５は本発明に係るスキージユニット及びこれを用いたクリーム半田印刷機の実施の形態の第３例を示したもので、図４は本例のスキージユニット及びこれを用いたクリーム半田印刷機の一部縦断側面図、図５は正面図である。なお、図３に示す第２例と対応する部分には、同一符号を付けて示している。
【００６１】
本例のスキージユニット及びクリーム半田印刷機では、クリーム加圧傾斜面１９ａ，１９ａ´を有する部材１９，１９´の上端をつないでいるつなぎ部材２２内の長手方向に沿ってシリンダー１２が形成され、その中にクリーム半田８が収容され、該クリーム半田８はシリンダー１２内上部のピストン１３を外部の支持部材４に支持された２個のエアシリンダ２３で加圧することにより通路１６を経てクリーム半田包囲体１０内のクリーム半田室１１に供給されるようになっている。即ち、クリーム半田供給手段１７の要部がつなぎ部材２２内に組み込まれた構造になっている。その他の構成は、図３に示す第２例と同様になっている。
【００６２】
このような構成でも、第２例と同様な効果を得ることができる。特に、この例では、クリーム半田供給手段１７の要部がつなぎ部材２２内に組み込まれているので、外観をシンプル化することができる。特に、この例によれば、スキージユニット６，６´が長くとも容易に本発明を適用することができる。
【００６３】
なお、図３において、圧力センサはクリーム加圧傾斜面１９ａ，１９ａ´を有する部材１９，１９´に、図２に示したと同様に、そのスクリーンマスク３の面にほぼ平行な面１９ｂ，１９ｂ´に先端を露出させて組み込むこともできる。
【００６４】
【発明の効果】
本発明に係るスキージユニットにおいては、クリーム加圧傾斜面とスキージとをそれぞれ向きを逆にして対向配置すると共にこれらの両側部及び上部をクリーム半田を包囲して外気から遮蔽するように閉じて全体としてクリーム半田包囲体を形成しているので、印刷時にクリーム半田が空気に触れ難くなり、クリーム半田の酸化やフラックス蒸発による性状変化を抑制でき、適正なクリーム半田の押し込み力の維持がし易くなる。また、クリーム加圧傾斜面とスキージとをそれぞれ向きを逆にして対向配置しているので、クリーム半田をクリーム半田包囲体の外に溢れさせることなく逆方向走行を開始させることができる。さらに、クリーム加圧傾斜面で加圧したクリーム半田を少なくとも該クリーム加圧傾斜面とスキージとスクリーンマスクとを含む閉じた曲面で該スクリーンマスクの面に伝えるので、クリーム半田の圧力を逃がさずにマスク孔に伝えてクリーム半田の充填性を高めることができる。
【００６５】
また、本発明に係るスキージユニットにおいて、各スキージのクリーム掻き取り面が、印刷方向のスクリーンマスクの面に対して90°以上の角度をなしていると、スキージのクリーム掻き取り面にクリーム半田による押し上げ力がかからなくなり、クリーム半田のローリングによってスキージが持ち上げられるのを防止できる。
【００６６】
また、本発明に係るスキージユニットにおいて、少なくともスクリーンマスクに接するスキージの先端部近傍の部分が弾性を有していると、基板やスクリーンマスクにうねりがあっても、スキージがそれに追従してクリーム半田の掻き取りを良好に行わせることができる。
【００６７】
また、本発明に係るスキージユニットにおいて、各クリーム加圧傾斜面を形成している部材には、クリーム加圧傾斜面に隣接して下部にスクリーンマスクの面にほぼ平行な面を有していると、クリーム加圧傾斜面により加圧されたクリーム半田の圧力の高いエリアを広く設定でき、高速印刷時においてもマスク孔へのクリーム半田の充填性を高めることができる。
【００６８】
また、本発明に係るスキージユニットにおいて、クリーム半田室にクリーム半田を供給するクリーム半田供給手段が設けられていると、スクリーンマスク上へのクリーム半田の供給を容易に行うことができる。
【００６９】
また、本発明に係るスキージユニットにおいて、クリーム半田供給手段の少なくとも主要部がスキージヘッド内に組み込まれていると、外観をシンプル化することができる。
【００７０】
また、本発明に係るスキージユニットにおいて、閉じた曲面内で加圧されているクリーム半田の圧力を検出する圧力センサーが設けられ、該圧力センサーからの指令でクリーム半田供給手段がクリーム半田室にクリーム半田の供給を行う構成になっていると、印刷時に圧力センサーによりクリーム半田の量の減少を検出して自動的にクリーム半田供給手段によりクリーム半田の供給を行うことができる。
【００７１】
さらに、本発明に係るスキージユニットにおいて、クリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成され、該クリーム半田包囲体の中はクリーム半田室となっており、各クリーム加圧傾斜面を形成している部材の外にはこの部材に対して隙間をあけないようにして垂直に上下動可能にスライド部材が設けられ、該スライド部材にスキージがそのクリーム掻き取り面が印刷方向のスクリーンマスクの面に対して90°以上の角度をなすようにして支持されていると、スキージをスクリーンマスク上の掻き取り位置に保持してクリーム半田の掻き取り性に影響を与えない状態にして、クリーム加圧傾斜面を上下させてクリーム半田の圧力設定や圧力調整ができる。
【００７２】
次に本発明に係るクリーム半田印刷機においては、クリーム加圧傾斜面とスキージとをそれぞれ向きを逆にして対向配置すると共にこれらの両側部及び上部をクリーム半田を包囲して外気から遮蔽するように閉じて全体としてクリーム半田包囲体を形成しているので、印刷時にクリーム半田が空気に触れ難くなり、クリーム半田の酸化やフラックス蒸発による性状変化を抑制でき、適正なクリーム半田の押し込み力の維持がし易くなる。また、クリーム加圧傾斜面とスキージとをそれぞれ向きを逆にして対向配置しているので、クリーム半田をクリーム半田包囲体の外に溢れさせることなく逆方向走行を開始させることができる。さらに、クリーム加圧傾斜面で加圧したクリーム半田を少なくとも該クリーム加圧傾斜面とスキージとスクリーンマスクとを含む閉じた曲面で該スクリーンマスクの面に伝えるので、クリーム半田の圧力を逃がさずにマスク孔に伝えてクリーム半田の充填性を高めることができる。
【００７３】
また本発明に係るクリーム半田印刷機において、各スキージのクリーム掻き取り面が、印刷方向の前記スクリーンマスクの面に対して90°以上の角度をなしていると、スキージのクリーム掻き取り面にクリーム半田による押し上げ力がかからなくなり、クリーム半田のローリングによってスキージが持ち上げられるのを防止できる。
【００７４】
また、本発明に係るクリーム半田印刷機において、少なくともスクリーンマスクに接するスキージの先端部近傍の部分が弾性を有していると、基板やスクリーンマスクにうねりがあっても、スキージがそれに追従してクリーム半田の掻き取りを良好に行わせることができる。
【００７５】
また、本発明に係るクリーム半田印刷機において、各クリーム加圧傾斜面を形成している部材には、クリーム加圧傾斜面に隣接して下部にスクリーンマスクの面にほぼ平行な面を有していると、クリーム加圧傾斜面により加圧されたクリーム半田の圧力の高いエリアを広く設定でき、高速印刷時においてもマスク孔へのクリーム半田の充填性を高めることができる。
【００７６】
また、本発明に係るクリーム半田印刷機において、クリーム半田室にクリーム半田を供給するクリーム半田供給手段が設けられていると、スクリーンマスク上へのクリーム半田の供給を容易に行うことができる。
【００７７】
また、本発明に係るクリーム半田印刷機において、クリーム半田供給手段の少なくとも主要部がスキージヘッド内に組み込まれていると、外観をシンプル化することができる。
【００７８】
また、本発明に係るクリーム半田印刷機において、閉じた曲面内で加圧されているクリーム半田の圧力を検出する圧力センサーが設けられ、該圧力センサーからの指令でクリーム半田供給手段がクリーム半田室にクリーム半田の供給を行う構成になっていると、印刷時に圧力センサーによりクリーム半田の量の減少を検出して自動的にクリーム半田供給手段によりクリーム半田の供給を行うことができる。
【００７９】
さらに、本発明に係るクリーム半田印刷機において、クリーム加圧傾斜面とスキージとはそれぞれ向きを逆にして対向配置されると共にこれらの両側部と上部がクリーム半田を包囲して外気から遮蔽するように閉じられて全体としてクリーム半田包囲体が形成され、該クリーム半田包囲体の中はクリーム半田室となっており、各クリーム加圧傾斜面を形成している部材の外にはこの部材に対して隙間をあけないようにして垂直に上下動可能にスライド部材が設けられ、該スライド部材にスキージがそのクリーム掻き取り面が印刷方向のスクリーンマスクの面に対して90°以上の角度をなすようにして支持されていると、スキージをスクリーンマスク上の掻き取り位置に保持してクリーム半田の掻き取り性に影響を与えない状態にして、クリーム加圧傾斜面を上下させてクリーム半田の圧力設定や圧力調整ができる。
【図面の簡単な説明】
【図１】本発明に係るスキージユニット及びこれを用いたクリーム半田印刷機の実施の形態の第１例の要部構成を示す一部縦断側面図である。
【図２】本例のスキージユニットの要部構成を示す縦断側面図である。
【図３】本発明に係るスキージユニット及びこれを用いたクリーム半田印刷機の実施の形態の第２例を示した一部縦断側面図である。
【図４】本発明に係るスキージユニット及びこれを用いたクリーム半田印刷機の実施の形態の第３例の一部縦断側面図である。
【図５】第３例のスキージユニット及びこれを用いたクリーム半田印刷機の正面図である。
【符号の説明】
１  印刷テーブル
２  基板
３  スクリーンマスク
３ａ  マスク孔
４  支持部材
５  エアシリンダ
５ａ  ピストンロッド
６，６´  スキージヘッド
７，７´  スキージホルダー
７ａ，７ａ´  クリーム加圧傾斜面
７ｂ，７ｂ´  スクリーンマスクの面にほぼ平行な面
８  クリーム半田
９，９´  スキージ
９ａ，９ａ´  掻き取り面
１０  クリーム半田包囲体
１１  クリーム半田室
１２  シリンダ
１３  ピストン
１４  加圧気体
１５  ノズル
１６  通路
１７  クリーム半田供給手段
１７が構成されている。
１８，１８´  圧力センサ
１９，１９´  クリーム加圧傾斜面を有する部材
１９ａ，１９ａ´  クリーム加圧傾斜面
１９ｂ，１９ｂ´  スクリーンマスクの面にほぼ平行な面
２０，２０´  スライド部材（スキージホルダー）
２１，２１´  シール材
２２  つなぎ部材
【図１】
0004587355.tif 000002
【図２】
0004587355.tif 000003
【図３】
0004587355.tif 000004
【図４】
0004587355.tif 000005
【図５】
0004587355.tif 000006